(57)【特許請求の範囲】
【請求項１】
カウンタトップのコンロ装着口に組み付けられる機器本体と、その機器本体の上方を覆う天板とを備え、
前記天板に、前記機器本体に装備したグリル庫から延びるグリル用排気筒の上端部が臨む第１排気開口部と、前記機器本体の下方に配置される別の調理器から延びる調理器用排気筒の上端部が臨む第２排気開口部とが形成された組付式グリル付コンロであって、
前記調理器が配置されないときに、前記第２排気開口部からの落下物を受止め回収する受止回収具が、上方から挿抜自在な状態で前記天板に装着され、
前記第１排気開口部と前記第２排気開口部とを構成する一つの排気口が、前記天板の後端側箇所に、横幅方向に延びる長孔状に形成され、
前記グリル用排気筒の上端部が、前記排気口の横幅よりも小さくかつ前記排気口の前後幅よりも小さく形成されて、平面視において、前記排気口の前端側でかつ前記排気口の横幅方向中央側に位置するように構成され、
前記受止回収具が、平面視において、前記排気口における前記グリル用排気筒の非存在部分を覆う形状に構成され、
前記受止回収具が、前記排気口の周縁部に載置する係止部と、落下物受止回収用の底壁部とを備え、かつ、前記係止部を前記排気口の周縁部に載置した状態において、前記底壁部が前記天板よりも下方に位置するように構成され、
前記底壁部における前記グリル用排気筒の両横側方に隣接する隣接部分の前端側縁部及び横端側縁部と前記天板との間に、空気通流用の隙間が形成されている組付式グリル付コンロ。
【請求項２】
前記底壁部の周縁部のうちの後端側縁部に、起立壁部が設けられ、かつ、前記底壁部の周縁部のうちの、前記後端側縁部を除いた縁部に、前記起立壁部よりも低い突状部が設けられている請求項１記載の組付式グリル付コンロ。
【発明の詳細な説明】
【技術分野】
【０００１】
本発明は、カウンタトップのコンロ装着口に組み付けられる機器本体と、その機器本体の上方を覆う天板とを備え、
前記天板に、前記機器本体に装備したグリル庫から延びるグリル用排気筒の上端部が臨む第１排気開口部と、前記機器本体の下方に配置される別の調理器から延びる調理器用排気筒の上端部が臨む第２排気開口部とが形成された組付式グリル付コンロに関する。
【背景技術】
【０００２】
かかる組付式グリル付コンロは、システムキッチン等のカウンタトップに形成されたコンロ装着口に機器本体を組み付けて使用されるものであって、機器本体の上方を覆う天板には、鍋等の調理容器を載置する五徳が装備されることになる。
【０００３】
そして、天板には、機器本体に装備したグリル庫から延びるグリル用排気筒の上端部が臨む第１排気開口部と、機器本体の下方に配置される別の調理器から延びる調理器用排気筒の上端部が臨む第２排気開口部とが形成されて、グリル庫からの排気や別の調理器からの排気が、天板の第１排気開口部と第２排気開口部とを通して、上方に排出されることになる。
【０００４】
ちなみに、一般には、第１排気開口部と第２排気開口部とが、天板の後端側箇所に、横幅方向に延びる長孔状に開口した一つの排気口として形成されることが多い。
また、調理器用排気筒は、一般に、機器本体のケーシングの挿通孔を通して、機器本体のケーシングの内部に延びる状態で配設されることになる。
そして、別の調理器を配設しない場合には、機器本体のケーシングにおける調理器用排気筒を挿通させる挿通孔が、閉塞板にて閉じられることになる。
【０００５】
尚、別の調理器としては、ガス燃焼式等のオーブンが多いが、例えば、ガス炊飯器を、別の調理器として機器本体の下方に配置して、燃焼排ガスや炊飯に伴って発生する蒸気を、調理器用排気筒を通して排気することが考えられるものである。
【０００６】
このような組付式グリル付コンロにおいて、従来では、別の調理器が配置されないときには、第２排気開口部が、調理器用排気筒が非存在となる開放状態で維持されるように構成されていた（例えば、特許文献１参照。）。
【０００７】
上記特許文献１においては、第１排気開口部と第２排気開口部とが、天板の後端側箇所に、横幅方向に延びる長孔状に開口した一つの排気口として形成され、そして、その排気口を覆う網目状の排気口カバーが、天板に載置される状態で設けられている。
【先行技術文献】
【特許文献】
【０００８】
【特許文献１】特開２０００−３０４２６４号公報
【発明の概要】
【発明が解決しようとする課題】
【０００９】
従来の組付式グリル付コンロにおいては、別の調理器が配置されないときに第２排気開口部を通して落下物が落下した際に、その落下物の除去作業が煩雑な作業となる不都合があった。
すなわち、鍋やフライパン等の調理容器を天板の上部の五徳に載置して調理する際に、調理対象物の一部が飛散して、落下物として、第２排気開口部を通して落下することは避けがたいものである。
【００１０】
そして、別の調理器を配設しない場合には、機器本体のケーシングにおける調理器用排気筒を挿通させる挿通孔が、閉塞板にて閉じられることになるため、第２排気開口部を通して落下する落下物が、機器本体のケーシング内に落下して堆積することになる。
【００１１】
したがって、第２排気開口部を通して落下する落下物を除去するには、天板を取り外して、機器本体の上部を開放する必要があるが、天板の着脱作業は面倒な作業であるため、第２排気開口部を通して落下する落下物の除去作業が煩雑な作業となるものであった。
【００１２】
ちなみに、オーブン等の別の調理器が配置されているときには、鍋やフライパン等の調理容器を天板の上部の五徳に載置して調理する際において、調理対象物の一部が飛散すると、その飛散物が落下物として、上端部が第２排気開口部を臨む状態で位置する調理器用排気筒を通して落下して、別の調理器に回収されることになる。
このように、落下物が別の調理器に回収されると、例えば、別の調理器がオーブンの場合には、庫内に落下した落下物を、扉を開けて除去できる等、落下物の除去作業を容易に行えるものとなる。
【００１３】
尚、調理対象物の一部が飛散すると、その飛散物が落下物として、上端部が第１排気開口部を臨む状態で位置するグリル用排気筒を通して落下することも避けがたいものであるが、グリル用排気筒を通して落下する落下物は、グリル庫に回収されることになり、その落下物の除去作業は、グリル庫の扉を開いて容易に行うことができる。
【００１４】
本発明は、上記実情に鑑みて為されたものであって、その目的は、別の調理器が配置されないときに第２排気開口部から落下物が落下しても、その落下物の除去作業を容易に行うことができる組付式グリル付コンロを提供する点にある。
【課題を解決するための手段】
【００１５】
本発明の組付式グリル付コンロは、カウンタトップのコンロ装着口に組み付けられる機器本体と、その機器本体の上方を覆う天板とを備え、
前記天板に、前記機器本体に装備したグリル庫から延びるグリル用排気筒の上端部が臨む第１排気開口部と、前記機器本体の下方に配置される別の調理器から延びる調理器用排気筒の上端部が臨む第２排気開口部とが形成されたものであって、その第１特徴構成は、
前記調理器が配置されないときに、前記第２排気開口部からの落下物を受止め回収する受止回収具が、上方から挿抜自在な状態で前記天板に装着され、
前記第１排気開口部と前記第２排気開口部とを構成する一つの排気口が、前記天板の後端側箇所に、横幅方向に延びる長孔状に形成され、
前記グリル用排気筒の上端部が、前記排気口の横幅よりも小さくかつ前記排気口の前後幅よりも小さく形成されて、平面視において、前記排気口の前端側でかつ前記排気口の横幅方向中央側に位置するように構成され、
前記受止回収具が、平面視において、前記排気口における前記グリル用排気筒の非存在部分を覆う形状に構成され、
前記受止回収具が、前記排気口の周縁部に載置する係止部と、落下物受止回収用の底壁部とを備え、かつ、前記係止部を前記排気口の周縁部に載置した状態において、前記底壁部が前記天板よりも下方に位置するように構成され、
前記底壁部における前記グリル用排気筒の両横側方に隣接する隣接部分の前端側縁部及び横端側縁部と前記天板との間に、空気通流用の隙間が形成されている点を特徴とする。
【００１６】
すなわち、別の調理器が配置されないときに第２排気開口部を通して落下物が落下すると、その落下物が、受止回収具にて受止め回収されることになる。
そして、受止回収具は、上方から挿抜自在な状態で天板に装着されているから、受止回収具にて受止回収した落下物を除去する際には、受止回収具を天板の上方側へ抜き取る形態で取外して、受止回収具を清掃することができ、また、清掃後は、受止回収具を上方から天板に挿入する形態で取り付けることができる。
【００１７】
つまり、別の調理器が配置されないときに第２排気開口部を通して落下する落下物を受止回収具にて受止め回収し、そして、回収した落下物の除去作業を、受止回収具を天板から着脱しながら行えるものとなる。
そして、受止回収具を天板から着脱することが、受止回収具を天板の上方側へ抜き取ることや、受止回収具を上方から天板に挿入することによって、容易に行えるため、結果的に、落下物の除去作業を容易に行えるものとなる。
【００１８】
要するに、本発明の第１特徴構成によれば、別の調理器が配置されないときに第２排気開口部から落下物が落下しても、その落下物の除去作業を容易に行うことができる組付式グリル付コンロを提供できる。
【００２０】
また、天板の後端側箇所に、第１排気開口部と第２排気開口部とを構成する一つの排気口が、横幅方向に延びる長孔状に形成されるものであるから、天板に一つの排気口を形成するだけで、第１排気開口部と第２排気開口部とを構成できるため、天板の構成の簡素化を図ることができる。
【００２１】
つまり、第１排気開口部を構成する開口と、第２排気開口部を構成する開口とを、各別に天板に形成すると、天板の構成が複雑になるが、天板に一つの排気口を形成するだけで、第１排気開口部と第２排気開口部とを構成するものであるため、天板の構成の簡素化を図ることができる。
【００２２】
また、グリル用排気筒の上端部が、排気口の横幅よりも小さくかつ排気口の前後幅よりも小さく形成されて、平面視において、排気口の前端側でかつ排気口の横幅方向中央側に位置するように構成され、そして、受止回収具が、平面視において、排気口におけるグリル用排気筒の非存在部分を覆う形状に構成されているから、排気口のうちの、開放状態となっている部分を通して落下する落下物を、受止回収具にて的確に受止回収することができる。
【００２３】
つまり、機器本体の下方に別の調理器が配置されないときには、排気口におけるグリル用排気筒の非存在部分が開放状態となるが、排気口におけるグリル用排気筒の非存在部分を通して落下する落下物を、受止回収具にて的確に受止回収することができるのである。
【００２４】
要するに、本発明の第１特徴構成によれば、上記作用効果に加えて、天板の構成の簡素化を図ることができ、しかも、排気口におけるグリル用排気筒の非存在部分を通して落下する落下物を的確に受止回収できる組付式グリル付コンロを提供できる。
【００２６】
また、受止回収具が、排気口の周縁部に載置する係止部と、落下物受止回収用の底壁部とを備えて、係止部を排気口の周縁部に載置した状態に装着されることになる。
そして、その装着状態において、排気口におけるグリル用排気筒の非存在部分を通して
落下する落下物を、底壁部にて受止回収することになる。
【００２７】
また、受止回収具が、係止部を排気口の周縁部に載置した状態において、底壁部が天板よりも下方に位置するように構成され、底壁部におけるグリル用排気筒の両横側方に隣接する隣接部分の前端側縁部及び横端側縁部と天板との間に、空気通流用の隙間が形成されているから、その空気通流用の隙間を通して、空気が通流するものとなって、グリル用排気筒を冷却させることができ、また、グリル用排気筒から排出される排気の低温化を図ることができる。
【００２８】
つまり、グリル庫が運転されると、グリル庫からの燃焼排ガスの流動等により、グリル用排気筒が高温になるため、グリル用排気筒の周囲の空気が上昇流動する傾向となり、そして、受止回収具の底壁部におけるグリル用排気筒の両横側方に隣接する隣接部分の前端側縁部及び横端側縁部と天板との間に、空気通流用の隙間が形成されているから、その隙間を通して、グリル用排気筒の周囲へ他の箇所からの空気が流入できるため、グリル用排気筒の周囲の空気が上昇流動して排気口を通して上方に排出される空気の流れが形成されることになる。
【００２９】
そして、グリル用排気筒の周囲の空気の上昇流動により、他の箇所からの冷たい空気がグリル用排気筒の周囲に流れ込むため、グリル用排気筒を冷却することができ、また、その上昇流動する空気が、グリル用排気筒から排出される高温の排気に混合することにより、グリル用排気筒から排出される排気の低温化を図ることができるのである。
【００３０】
要するに、本発明の第１特徴構成によれば、上記作用効果に加えて、受止回収具を装着した状態において、グリル用排気筒を冷却させることができ、また、グリル用排気筒から排出される排気の低温化を図ることができる組付式グリル付コンロを提供できる。
【００３１】
本発明の組付式グリル付コンロの第２特徴構成は、上記第１特徴構成に加えて、
前記底壁部の周縁部のうちの後端側縁部に、起立壁部が設けられ、かつ、前記底壁部の周縁部のうちの、前記後端側縁部を除いた縁部に、前記起立壁部よりも低い突状部が設けられている点を特徴とする。
【００３２】
すなわち、底壁部の周縁部のうちの後端側縁部に、起立壁部が設けられているから、上下方向に屈曲し難い起立壁部の存在によって、底壁部が上下方向に屈曲することを抑制できるため、底壁部にて落下物を適切に受止回収することができる。
【００３３】
また、底壁部の周縁部のうちの、後端側縁部を除いた縁部に、起立壁部よりも低い突状部が設けられているから、底壁部にて受止回収された落下物が、突状部及び起立壁部の存在によって、底壁部からこぼれ落ちることが抑制される。
【００３４】
しかも、突状部は、起立壁部よりも低いものであるから、突状部が存在しても、受止回収具の底壁部におけるグリル用排気筒の両横側方に隣接する隣接部分の前端側縁部及び横端側縁部と天板との間に、空気通流用の隙間を形成して、グリル用排気筒の周囲の空気の上昇流動を適切に行わせることができる。
【００３５】
要するに、本発明の第２特徴構成によれば、上記第１特徴構成による作用効果に加えて、底壁部が上下方向に屈曲することを抑制して、底壁部にて落下物を適切に受止回収することができ、しかも、グリル用排気筒の周囲の空気の上昇流動を適切に行わせながらも、受止回収された落下物が底壁部からこぼれ落ちることを抑制できる組付式グリル付コンロを提供できる。
【図面の簡単な説明】
【００３６】
【図１】組付式グリル付コンロの一部分解斜視図
【図２】同コンロの平面図
【図３】受止回収具の装着部の縦断側面図
【図４】グリル付コンロの後部の縦断斜視図
【図５】受止回収具の装着部の縦断斜視図
【図６】受止回収具の正面図
【図７】グリル付コンロ及びガスオーブンの設置状態を示す斜視図
【図８】ガスオーブンを設置した状態の全体側面図
【図９】ガスオーブンを設置した状態のグリル付コンロの平面図
【発明を実施するための形態】
【００３７】
以下、本発明の実施形態を図面に基づいて説明する。
【００３８】
図１及び図２に示すように、組付式グリル付コンロＣが、機器本体Ｈの横幅方向の中央部にグリルＧを備え、機器本体Ｈの上部に、コンロバーナ１として、標準バーナ１ａ、小火力バーナ１ｂ及び高火力バーナ１ｃを備え、かつ、機器本体Ｈの上部を覆う天板２を備える形態に構成されている。
【００３９】
天板２には、標準バーナ１ａ、小火力バーナ１ｂ及び高火力バーナ１ｃの夫々にて加熱される加熱対象物を載置する五徳３が設けられている。
また、天板２の後部側箇所には、横幅方向に延びる長孔状に開口した一つの排気口４が形成されている。
尚、排気口４には、網状の排気口カバー体Ｋが上方に取り外し自在に載置された状態で装着される（図７参照）。
【００４０】
図４及び図５に示すように、機器本体Ｈは、上部が開口した有底筒状のケーシング５を備えて、その内部に、上記したコンロバーナ１やグリルＧのグリル庫６を装備するように構成されている。
そして、ケーシング５の上縁部には、外方に張り出す鍔状部５Ａが形成されている。
【００４１】
これによって、図７に示すように、機器本体Ｈは、システムキッチン等のカウンタトップＴに形成したコンロ装着口Ｔｏに対して上方から嵌め込んだ状態に装着されるように構成されている。
つまり、ケーシング５をコンロ装着口Ｔｏに挿入し、鍔状部５Ａをコンロ装着口Ｔｏの縁部に係止する状態で、機器本体ＨがカウンタトップＴに装着されるように構成されている。尚、天板２は、機器本体ＨをカウンタトップＴに装着した後、機器本体Ｈを覆う状態に設置されることになる。
【００４２】
図４に示すように、グリルＧは、グリル庫６を備え、グリル庫６の内部には、焼き網７及び汁受け皿８が装備されている。また、図１に示すように、グリル庫６の前部を開閉する扉Ａが装備されている。
そして、焼き網７、汁受け皿８及び扉Ａが、グリル庫６に対して一体的に出退自在に支持されている。
ちなみに、図示は省略するが、グリル庫６の上壁部には、焼き網７に載置された被調理物を上方から加熱する輻射式の上バーナが装備され、グリル庫６の左右の側壁部には、焼き網７に載置された被調理物を下方から加熱するための下バーナが設けられている。
【００４３】
また、図４及び図５に示すように、グリル庫６の後部には、後方上方に向けて延びる姿勢でグリル用排気筒６Ａが接続され、このグリル用排気筒６Ａの上端部が、天板２に形成した上述の排気口４に臨むように構成されている。
図１及び図２に示すように、グリル用排気筒６Ａの上端部は、排気口４の横幅よりも小さくかつ排気口４の前後幅よりも小さく形成されて、平面視において、排気口４の前端側でかつ排気口４の横幅方向中央側に位置するように構成されている。
【００４４】
ちなみに、機器本体Ｈの前面部におけるグリルＧの右側には、コンロバーナ１に対する操作部が配置され、機器本体Ｈの前面部におけるグリルＧの左側には、グリル庫６に装備した上バーナや下バーナに対する操作部が配置されるが、本書においては、それらの操作部についての説明は省略する。
【００４５】
図７及び図８に示すように、本実施形態においては、カウンタトップＴに装着した組付式グリル付コンロＣの機器本体Ｈの下方に、別の調理器としてのガスオーブンＶが配置自在に構成されている。
ガスオーブンＶは、オーブン本体Ｖｍを備え、そのオーブン本体Ｖｍの上壁部の後方側箇所に、調理器用排気筒１０が上方に延びる状態で設けられている。
【００４６】
図８に示すように、ガスオーブンＶの調理器用排気筒１０が、機器本体Ｈのケーシング５に形成した挿通孔１１（図４参照）を通してケーシング５の内部に延出し、そして、図９に示すように、調理器用排気筒１０の上端部が、天板２に形成した排気口４に臨むように構成されている。
【００４７】
説明を加えると、調理器用排気筒１０は、図７に示すように、下部側部分１０Ｓが、４角形の筒状に形成され、上部側部分１０Ｕが、前後幅が下部側部分１０Ｓよりも狭い小幅筒部１０ａと、前後幅が下部側部分１０Ｓと同幅の大幅筒部１０ｂとを横幅方向に並べて備える状態に形成されている。
【００４８】
そして、図９に示すように、調理器用排気筒１０の上端部は、小幅筒部１０ａをグリル用排気筒６Ａの上端部の後方側に並べ、大幅筒部１０ｂをグリル用排気筒６Ａの上端部の右横側に並べる状態で、天板２に形成した排気口４に臨むように構成されている。
【００４９】
したがって、本実施形態においては、横幅状に延びる長尺状に形成した１つの排気口４にて、グリル用排気筒６Ａの上端部が臨む第１排気開口部Ｄ１、及び、調理器用排気筒１０の上端部が臨む第２排気開口部Ｄ２が構成されることになる。
【００５０】
以上の説明から明らかなように、組付式グリル付コンロＣの機器本体Ｈのケーシング５には、ガスオーブンＶの調理器用排気筒１０が挿入される場合と挿入されない場合とが存在することになり、そして、調理器用排気筒１０が挿入されない場合には、図３及び図５に示すように、挿通孔１１を閉じる閉塞板１２が設置されることになる。
【００５１】
閉塞板１２は、ケーシング５の鍔状部５Ａに係止される状態に設置される上部分１２Ａと、その上部分１２Ａに接続される下部分１２Ｂとからなり、詳述はしないが、上部分１２Ａが鍔状部５Ａにビスにて止着されるように構成されている。
【００５２】
図１及び図２に示すように、ガスオーブンＶが配置されないときに、第２排気開口部Ｄ２からの落下物を受止め回収する受止回収具Ｕが、上方から挿抜自在な状態で天板２に装着されている。
具体的には、上述の如く、第１排気開口部Ｄ１と第２排気開口部Ｄ２とが一つの排気口４にて構成され、かつ、グリル用排気筒６Ａの上端部が、排気口４の横幅よりも小さくかつ排気口４の前後幅よりも小さく形成されて、平面視において、排気口４の前端側でかつ排気口４の横幅方向中央側に位置するように構成されているため、受止回収具Ｕが、平面視において、排気口４におけるグリル用排気筒６Ａの非存在部分を覆う形状に構成されている。
【００５３】
受止回収具Ｕについて説明を加えると、図１〜図３に示すように、受止回収具Ｕは、水平姿勢の水平板部分１３ａと起立姿勢の起立板部分１３ｂとを備える側面視形状Ｌ字状の板体１３と、左右の杆状体１４とによって構成されている。
左右の杆状体１４は、板体１３の左右の端部の夫々において、水平板部分１３ａの前端部と起立板部分１３ｂの上端部とに亘る状態で、板体１３に溶接接続されるものであって、図３に示すように、水平姿勢部分１４ａを備える状態に屈曲されている。
【００５４】
板体１３の水平板部分１３ａの前端縁部には、グリル用排気筒６Ａが入り込む凹入部Ｗが形成されており、水平板部分１３ａの前端縁部をグリル用排気筒６Ａの背部側に近接させることができるように構成されている（図２参照）。
【００５５】
したがって、左右の杆状体１４の水平姿勢部分１４ａが、排気口４の周縁部に載置する係止部として機能し、板体１３の水平板部分１３ａが落下物受止回収用の底壁部として機能するように構成され、また、板体１３の起立板部分１３ｂが、落下物受止回収用の底壁部の周縁部のうちの後端側縁部に設ける起立壁部として機能するように構成されている。
【００５６】
つまり、受止回収具Ｕは、係止部として機能する杆状体１４の水平姿勢部分１４ａを、排気口４の周縁部に載置した状態に装着されて、底壁部として機能する板体１３の水平板部分１３ａにて、落下物を受止回収することになる。
また、起立壁部として機能する板体１３の起立板部分１３ｂの存在により、水平板部分１３ａが受止回収した落下物の重みにより下方に屈曲することを抑制することになる。
【００５７】
また、図３及び図６に示すように、受止回収具Ｕは、左右の杆状体１４の水平姿勢部分１４ａを排気口４の周縁部に載置した状態において、板体１３の水平板部分１３ａが天板２よりも下方に位置するように構成されている。
そして、板体１３の水平板部分１３ａにおけるグリル用排気筒６Ａの両横側方に隣接する隣接部分１３Ｒの前端側縁部及び横端側縁部と前記天板との間に、空気通流用の隙間Ｚが形成されるようになっている。
【００５８】
また、板体１３の水平板部分１３ａの周縁部のうちの、起立板部分１３ｂが存在する後端側縁部を除いた縁部に、起立板部分１３ｂよりも低い突状部Ｊが、水平板部分１３ａの周縁部を上方に折り曲げることによって形成されている。
【００５９】
以上の通り、本実施形態においては、ガスオーブンＶが配置されないときに、排気口４におけるグリル用排気筒６Ａの非存在部分を覆う受止回収具Ｕが天板２に装着されるから、鍋やフライパン等の調理容器を天板２の上部の五徳３に載置して調理する際に、調理対象物の一部が飛散して、落下物として排気口４を通して落下しても、その落下物を、受止回収具Ｕにて受止め回収できる。
【００６０】
そして、受止回収具Ｕは、上方から挿抜自在な状態で天板２に装着されているから、受止回収具Ｕにて受止回収した落下物を除去する際には、受止回収具Ｕを天板の上方側へ抜き取る形態で取外して、受止回収具Ｕを清掃することができ、また、清掃後は、受止回収具Ｕを上方から天板２に挿入する形態で取り付けることができる。
【００６１】
〔別実施形態〕
次に、別実施形態を列記する。
【００６２】
（イ）上記実施形態では、受止回収具Ｕが、側面視形状Ｌ字状の板体１３と、左右の杆状体１４とによって構成される場合を例示したが、受止回収具Ｕの具体構成は種々変更できるものである。
【００６３】
（ロ）上記実施形態では、機器本体Ｈに３つのコンロバーナ１を備えさせる場合を例示したが、左右一対のコンロバーナ１を備えさせる等、機器本体Ｈの具体構成は各種変更できる。
【符号の説明】
【００６４】
２      天板
４      排気口
６      グリル庫
６Ａ    グリル用排気筒
１４ａ  係止部
１３ａ  底壁部
１３ｂ  起立壁部
１３Ｒ  隣接部分
Ｄ１    第１排気開口部
Ｄ２    第２排気開口部
Ｈ      機器本体
Ｊ      突状部
Ｔ      カウンタトップ
Ｔｏ    コンロ装着口
Ｕ      受止回収具
Ｖ      調理器
Ｚ      空気流通用の隙間
【図１】
0005911322.tif 000002
【図２】
0005911322.tif 000003
【図３】
0005911322.tif 000004
【図４】
0005911322.tif 000005
【図５】
0005911322.tif 000006
【図６】
0005911322.tif 000007
【図７】
0005911322.tif 000008
【図８】
0005911322.tif 000009
【図９】
0005911322.tif 000010